(57)【要約】  【課題】  水密部材の蓋或いはケース本体によって挟持される部分（挟持部）に付着した髪の毛やゴミなどの異物に気付き易いカメラ用防水ケースを提供する。【解決手段】  内部に撮影機器を収納可能なカメラ用防水ケース２をケース本体５と、ケース本体５に装着される蓋６と、蓋６に形成された溝６ａに嵌め込まれるＯリング７とから構成する。なお、ケース本体５及び蓋６は、透明なプラスチックからなる。蓋６の縁部に、透明で表面側が曲面状に膨出した凸レンズの効果を有する防水確認窓５８を設ける。これにより、防水確認窓５８を通して視認した挟持部が拡大して見える。よって、挟持部に付着した異物に気付き易くなる。【選択図】        図４
2006053330.tif 000002
【特許請求の範囲】
【請求項１】
ケース本体とケース本体に水密に装着される蓋とからなり、カメラを外部から操作可能に収容するカメラ用防水ケースにおいて、
前記ケース本体と蓋とのいずれか一方に、蓋を装着したときの合わせ目を水密状態に保つ水密部材を設け、かつ前記ケース本体と蓋との少なくともいずれか一方の前記水密部材に対面する少なくとも一部に、透明で表面側が曲面状に膨出した防水確認窓を設けたことを特徴とするカメラ用防水ケース。
【請求項２】
前記水密部材はＯリングであり、前記防水確認窓はＯリングのほぼ全周が透視可能なシリンドリカルレンズであることを特徴とする請求項１記載のカメラ用防水ケース。
【発明の詳細な説明】
【技術分野】
【０００１】
本発明は、撮影機器を水密に収納するカメラ用防水ケースに関するものである。
【背景技術】
【０００２】
デジタルカメラやデジタルビデオカメラ等の撮影機器での水中撮影の際には、撮影機器を水密に収納するカメラ用防水ケースが広く用いられる。従来から知られているカメラ用防水ケースの一般的な構造を図６に示す。このカメラ用防水ケース１００は、箱型を呈する透明なケース本体１０１に対して同じく透明な蓋１０２を装着し、ケース本体１０１と蓋の１０２との間にＯリング１０３を挟持させることで、ケース内部にデジタルカメラ１０５を収納可能となっている。Ｏリング１０３は弾性体であり、ケース本体１０１に蓋１０２を装着する際に挟持されることで変形し、ケース本体１０１及び蓋１０２に密着することによりカメラ用防水ケース１００内部の水密性を高めている。さらに、ケース内部に漏水を検知する漏水センサを設けたものがある。さらに近年、漏水を防ぐために様々な手段が考案されており、Ｏリング１０３を２重に配置し、その間に漏水センサを設ける方法等が提案されている（例えば、特許文献１）。
【０００３】
【特許文献１】特開平９−２６９５３４号公報
【発明の開示】
【発明が解決しようとする課題】
【０００４】
しかしながら上記記載のカメラ用防水ケースでは、蓋にケース本体を装着したときに、Ｏリングの蓋或いはケース本体によって挟持される部分（挟持部）に髪の毛やゴミなどの異物が付着していると、異物の周辺に隙間が生じる。このようなカメラ用防水ケースを水中に入れると、隙間からケース内部に水が浸入し、ケース内部の撮影機器に影響を及ぼす。
【０００５】
本発明は、上記事情を考慮してなされたものであり、その目的は、挟持部に付着した異物に気付き易いカメラ用防水ケースを提供することにある。
【課題を解決するための手段】
【０００６】
上記課題を解決するために、本発明のカメラ用防水ケースは、ケース本体とケース本体に装着される蓋とからなり、カメラを外部から操作可能に収容し、前記ケース本体と蓋とのいずれか一方に、蓋を装着したときの合わせ目を水密状態に保つ水密部材を設け、かつ前記ケース本体または前記蓋の少なくともいずれか一方の前記水密部材に対面する少なくとも一部に、透明で表面側が曲面状に膨出した防水確認窓を設けたことを特徴とする。
【０００７】
また、前記水密部材はＯリングであり、前記防水確認窓はＯリングのほぼ全周が透視可能なシリンドリカルレンズであることを特徴とする。
【発明の効果】
【０００８】
本発明のカメラ用防水ケースは、ケース本体と蓋との少なくともいずれか一方の水密部材に対面する少なくとも一部に、透明で表面側が曲面状に膨出して凸レンズ効果を備えた防水確認窓を設けることにより、水密部材のケース本体或いは蓋によって挟持された部分（挟持部）に付着したゴミを拡大して見ることができる。したがって、挟持部に付着したゴミに気付き易くなるため、異物により生じた隙間からケース内部に水が浸入するのを防ぐことができる。
【発明を実施するための最良の形態】
【０００９】
図１に本発明を実施したカメラ用防水ケースを示す。カメラ用防水ケース２は、箱型を呈するケース本体５と、ケース本体５に装着される蓋６と、蓋６に形成した溝６ａ（図４参照）に嵌め込まれるＯリング７とから構成される。なお、ケース本体５及び蓋６は、透明なプラスチックからなる。Ｏリング７は弾性を有し、ケース本体５に蓋６を装着したときに、ケース本体５と蓋６とに挟持されることで、合わせ目を水密状態に保ち、ケース内部に水が浸入するのを防ぐ水密部材である。
【００１０】
ケース本体５の側面には、係合部材９が設けられている。この係合部材９には係合爪９ａが形成され、蓋５の側面に形成された係合穴１１に係合可能である。係合穴１１を係合爪９ａに係合することで、ケース本体５に蓋６が装着され、図２に示すようになる。カメラ用防水ケース２内には、撮影機器であるデジタルカメラ１５（図３参照）を収納できる。なお、符号１２は緩衝部材で、ケース内部のデジタルカメラ１５を定置させ、衝撃から保護するものである。
【００１１】
図３は、カメラ用防水ケース２内に収納可能なデジタルカメラ１５を示す。デジタルカメラ１５のカメラボディ１６前面には、撮影レンズ２０が組み込まれたレンズ鏡筒２１と、対物ファインダ窓２２とが設けられている。また、カメラボディ１６上部には、モード切替ダイヤル２５と、レリーズボタン２７とが設けられている。モード切替ダイヤル２５上部に記された絵を矢印２８に合わせることで、カメラの電源オフや静止画または動画撮影モードなどのモード選択が行える。レリーズボタン２７を、静止画または動画モード時に押圧することで、後述するメモリカードに画像データが記録され、撮影が実行される。
【００１２】
また、カメラボディ１６の後面には、接眼ファインダ窓３０と、液晶ディスプレイ（ＬＣＤ）３２と、ズーミング操作を行うためのズームボタン３４及びワイドボタン３５と、メニュー選択等を行うカーソルボタン３７とが設けられている。また、カメラボディ１６の底部には、バッテリ（図示せず）と、撮影レンズ２０から取り込んだ被写体像を画像データとして記録するメモリカードが挿入されるメモリスロット（図示せず）とが設けられている。
【００１３】
ケース内部に収納したデジタルカメラ１５を外部から操作できるように、ケース本体５には、レンズ鏡筒収納部４１と、レリーズ操作部材４３と、モード切替操作部材４５とが設けられている。レンズ鏡筒収納部４１は、レンズ鏡筒２１が収納されるもので、透明な強化ガラスを組み込んだ窓４８が形成されている。なお、窓４８は、撮影レンズ２０に被写体光を取り込むためのものである。レリーズ操作部材４３には、突起（図示せず）が設けられ、この突起がレリーズ操作部材４３を押圧したときにレリーズボタン２７を押圧操作する。モード切替操作部４５は、回転可能で、回転操作をするときにモード切替ダイヤル２５が操作できる。
【００１４】
また、蓋５には、カーソル操作部材５０と、ズームボタン操作部材５４及びワイドボタン操作部材５５と、ＬＣＤ確認部５６とが設けられている。カーソル操作部材５０には突起５０ａが設けられ、カーソル操作部材５０を押圧したとき突起５０ａがカーソルボタン３７を押圧操作する。ズームボタン操作部材５４及びワイドボタン操作部材５５にも、それぞれ突起５４ａ，５５ａが設けられ、ズームボタン３４及びワイドボタン３５を押圧操作できる。また、ＬＣＤ確認部５６には透明な窓５６ａが組み込まれ、この窓５６ａを通してＬＣＤ３２に表示される画像を確認できる。さらに、蓋６の縁部には、透明で表面側が曲面上に膨出した防水確認窓５８がＯリング７と対面するように設けられている。この防水確認窓５８は、Ｏリング７のほぼ全周を透視可能にするシリンドリカルレンズである。なお、図４は、ケース本体５を蓋６に装着したカメラ用防水ケース２の防水確認窓５８近傍を示す断面図である。
【００１５】
防水確認窓５８は、凸レンズの効果を有する。例えば、Ｏリング７を、防水確認窓５８を通して視認すると拡大して見える。
【００１６】
次に、上記実施形態の作用について説明する。デジタルカメラ１５をカメラ用防水ケース２内に入れて係合爪９ａを係合穴１１に係合させると、ケース本体５に蓋６が装着され、カメラ用防水ケース２内にデジタルカメラ１５が収納される。その後、防水確認窓５８を通してＯリング７のケース本体５或いは蓋６によって挟持された部分（挟持部）を視認すると拡大して見える。
【００１７】
したがって、挟持部に付着している異物に気づきやすくなる。このため、挟持部に異物が挟まることで生じる隙間から、ケース内部に水が浸入するのを防止できる。
【００１８】
本発明のカメラ用防水ケース２は、ケース本体５または蓋６のいずれか一方に、蓋５を装着したときの合わせ目を水密状態に保つ水密部材を設け、かつ前記ケース本体と蓋との少なくともいずれか一方の前記水密部材に対面する少なくとも一部に、透明で表面側が曲面状に膨出した防水確認窓５８を設けていればよい。たとえば、図５に示すように、ケース本体５の水密部材に対面する縁部近傍の一部に、透明で表面側が曲面状に膨出した防水確認窓５８を設けても本発明を適用できる。なお、本実施形態では、上記実施形態と同じ部材には同じ符号を付して説明を省略する。Ｏリング７のケース本体５或いは蓋６によって挟持された部分（挟持部）を、防水確認窓５８を通して視認すると、挟持部が拡大されて見える。これにより、挟持部に付着した異物に気付き易くなり、挟持部に異物が挟まることでケース内部に水が浸入するのを防止する。
【００１９】
上記実施形態では、防水確認窓を形成する部材は透明であったが、挟持部に付着している異物を視認可能であれば、半透明でもよい。また、上記実施形態では、カメラ用防水ケースの大部分を透明としたが、レンズ鏡筒収納部及びＬＥＤ確認部のそれぞれの窓が透明であればよく、他の部材は必ずしも透明な部材である必要はない。
【図面の簡単な説明】
【００２０】
【図１】本発明のカメラ用防水ケースの構成を示す斜視図である。
【図２】ケース本体に蓋を装着したカメラ用防水ケースの外観斜視図である。
【図３】デジタルカメラの斜視図である。
【図４】ケース本体と蓋部の接合部の断面図である。
【図５】凸レンズ状がケース本体に設けられたカメラ用防水ケースの断面図である。
【図６】従来の例のカメラ用防水ケースの断面図である。
【符号の説明】
【００２１】
２  カメラ用防水ケース
５  ケース本体
６  蓋
６ａ  溝
７  Ｏリング
１５  デジタルカメラ
２０  撮影レンズ
２１  レンズ鏡筒
４１  レンズ鏡筒収納部
５８  防水確認窓
【図１】
2006053330.tif 000003
【図２】
2006053330.tif 000004
【図３】
2006053330.tif 000005
【図４】
2006053330.tif 000006
【図５】
2006053330.tif 000007
【図６】
2006053330.tif 000008